(57)【特許請求の範囲】
【請求項１】
画像形成シート上に単位ブロックＢ内をｍ列ｎ行に等形状分割した各々最小単位ブロックｂ１、ｂ２、ｂ３、ｂ４、・・・をそれぞれ１単位画素ｇ１、ｇ２、ｇ３、ｇ４、・・・とし、複数の単位ブロックの１単位画素ｇ１、ｇ２、ｇ３、ｇ４、・・・により各々潜像画像Ｇ１、Ｇ２、Ｇ３、Ｇ４・・・が形成され、前記各々潜像画像Ｇ１、Ｇ２、Ｇ３、Ｇ４・・・を形成する各々１単位画素ｇ１、ｇ２、ｇ３、ｇ４・・・は、万線本数１本分以上の万線により構成される万線パターンであって、ピッチｐ１、ｐ２、ｐ３、ｐ４、・・・の各々万線ピッチｐと角度θ１、θ２、θ３、θ４、・・・の各々万線角度θの万線により構成される異なる各々万線パターンのうちいずれかの万線パターンにより偽造防止用画像形成体であって、該潜像画像Ｇ１、Ｇ２、Ｇ３、Ｇ４、・・・を形成する各々前記１単位画素ｇ１、ｇ２、ｇ３、ｇ４、・・・を構成する万線パターンと同一の前記万線ピッチｐと万線角度θの万線により構成されるそれぞれ異なる万線パターンを透明シートに形成した顕像化用の万線シートを前記偽造防止用画像形成体上に重ね合わせることにより前記潜像画像Ｇ１、Ｇ２、Ｇ３、Ｇ４、・・・を顕像化するようにしたことを特徴とする偽造防止用画像形成体。
【請求項２】
画像形成シート上に単位ブロックＢ内を２列２行に等形状分割した４個の各々最小単位ブロックｂ１、ｂ２、ｂ３、ｂ４をそれぞれ１単位画素ｇ１、ｇ２、ｇ３、ｇ４とし、複数の単位ブロックの１単位画素ｇ１、ｇ２、ｇ３、ｇ４により各々潜像画像Ｇ１、Ｇ２、Ｇ３、Ｇ４  が形成され、前記各々潜像画像Ｇ１、Ｇ２、Ｇ３、Ｇ４を形成する各々１単位画素ｇ１、ｇ２、ｇ３、ｇ４は、万線本数１本分以上の万線により構成される万線パターンであって、ピッチｐ１、ｐ２、ｐ３、ｐ４の各々万線ピッチｐと角度θ１、θ２、θ３、θ４の各々万線角度θの万線により構成される異なる各々万線パターンのうちいずれかの万線パターンにより構成された偽造防止用画像形成体であって、該潜像画像Ｇ１、Ｇ２、Ｇ３、Ｇ４を形成する各々前記１単位画素ｇ１、ｇ２  、ｇ３、ｇ４を構成する万線パターンと同一の前記万線ピッチｐと万線角度θの万線により構成されるそれぞれ異なる万線パターンを透明シートに形成した顕像化用の万線シートを前記偽造防止用画像形成体上に重ね合わせることにより前記潜像画像Ｇ１、Ｇ２、Ｇ３、Ｇ４を顕像化するようにしたことを特徴とする偽造防止用画像形成体。
【請求項３】
請求項１又は２記載の偽造防止用画像形成体であって、前記単位ブロックＢが、正方形若しくは長方形等の矩形状、多角形状、真円形状、長円形状、楕円形状のいずれか１種の形状であることを特徴とする偽造防止用画像形成体。
【請求項４】
請求項１乃至３のいずれか１項記載の偽造防止用画像形成体であって、前記最小単位ブロックｂ1 、ｂ2 、ｂ3 、ｂ4 、・・・が、正方形若しくは長方形等の矩形状、多角形状、真円形状、長円形状、楕円形状のいずれか１種の形状であることを特徴とする偽造防止用画像形成体。
【請求項５】
請求項２乃至４のいずれか１項記載の偽造防止用画像形成体であって、４種類の前記各々画像Ｇ1 、Ｇ2 、Ｇ3 、Ｇ4 を形成する各々１単位画素ｇ1 、ｇ2 、ｇ3 、ｇ4 は、ピッチｐ1 、ｐ2 、ｐ3 、ｐ4 の各々万線ピッチｐと角度θ1 、θ2 、θ3 、θ4 の各々万線角度θの万線により構成される異なる各々万線パターンのうち、ピッチｐ1 、ｐ2 の異なる２種類の各々万線ピッチｐと、角度θ1 、θ2 の異なる２種類の各々万線角度θとから構成される異なる４種類の各々万線パターンにより構成された偽造防止用画像形成体であって、４種類の該潜像画像Ｇ1 、Ｇ2 、Ｇ3 、Ｇ4 を形成する各々前記１単位画素ｇ1 、ｇ2 、ｇ3 、ｇ4 を構成する万線パターンと同一の前記万線ピッチｐと万線角度θの万線により構成され、それぞれ異なる２種類のピッチｐ1 、ｐ2 の前記万線ピッチｐと、それぞれ異なる２種類の角度θ1 、θ2 の万線角度θの万線により構成される異なる４種類の万線パターンを、単一の透明シートに形成して構成される顕像化用の万線シート、又は各々２枚の透明シートに形成して表裏を使用することにより構成される顕像化用の万線シ
ート、又は各々４枚の透明シートに形成して構成される顕像化用の万線シートを、前記偽造防止用画像形成体上に重ね合わせることにより４種類の前記潜像画像Ｇ1 、Ｇ2 、Ｇ3 、Ｇ4 を顕像化するようにしたことを特徴とする偽造防止用画像形成体。
【請求項６】
請求項１乃至５のいずれか１項記載の偽造防止用画像形成体であって、前記万線ピッチｐと万線角度θの万線により構成される異なる万線パターンを透明シートに形成した顕像化用の前記万線シートは、各々異なる万線パターンが同一の透明シートに形成されていることを特徴とする偽造防止用画像形成体。
【請求項７】
請求項１乃至６のいずれか１項記載の偽造防止用画像形成体であって、前記万線ピッチｐと万線角度θの万線により構成される異なる万線パターンを透明シートに形成した顕像化用の前記万線シートは、各々異なる万線パターンが別々の透明シートに形成されていることを特徴とする偽造防止用画像形成体。
【請求項８】
請求項２乃至７のいずれか１項記載の偽造防止用画像形成体であって、前記万線角度θが異なる２種類の角度θ1 、θ2 であって、θ１（θ1 ＜１８０°）、θ2 ＝１８０−θ1 の条件を満たし、前記顕像化用の万線シートの表裏を前記偽造防止用画像形成体上に重ね合わせることにより、前記潜像画像Ｇ1 、Ｇ2 、Ｇ3 、Ｇ4 を顕像化するようにしたことを特徴とする偽造防止用画像形成体。
【請求項９】
請求項１乃至８のいずれか１項記載の偽造防止用画像形成体であって、前記各々潜像画像Ｇ1 、Ｇ2 、Ｇ3 、Ｇ4 、・・・を構成する各々単位画素を形成するそれぞれ万線パターンの万線ピッチ差、及び前記潜像画像Ｇ1 、Ｇ2 、Ｇ3 、Ｇ4 、・・・を顕像化するための万線シートを形成するそれぞれ万線パターンの万線ピッチ差が０．０５ｍｍ以上であることを特徴とする偽造防止用画像形成体。
【請求項１０】
請求項１乃至９のいずれか１項記載の偽造防止用画像形成体であって、前記各々潜像画像Ｇ1 、Ｇ2 、Ｇ3 、Ｇ4 、・・・を構成する各々単位画素を形成するそれぞれ万線パターンの万線画線部の幅の差、及び前記潜像画像Ｇ1 、Ｇ2 、Ｇ3 、Ｇ4 、・・・を顕像化するための万線シートを形成するそれぞれ万線パターンの万線画線部の幅の差が０．０５ｍｍ以上であることを特徴とする偽造防止用画像形成体。
【請求項１１】
請求項１乃至９のいずれか１項記載の偽造防止用画像形成体であって、前記各々潜像画像Ｇ1 、Ｇ2 、Ｇ3 、Ｇ4 、・・・を構成する各々単位画素を形成するそれぞれ万線パターンの万線角度θの差、及び前記潜像画像Ｇ1 、Ｇ2 、Ｇ3 、Ｇ4 、・・・を顕像化するための万線シートを形成するそれぞれ万線パターンの万線角度θの差が１０°以上であることを特徴とする偽造防止用画像形成体。
【請求項１２】
請求項１乃至１１のいずれか１項記載の偽造防止用画像形成体であって、前記各々潜像画像Ｇ1 、Ｇ2 、Ｇ3 、Ｇ4 、・・・を形成する各々１単位画素ｇ1 、ｇ2 、ｇ3 、ｇ4 、・・・は、万線本数１本分以上の万線により構成される万線パターンであることを特徴とする偽造防止用画像形成体。
【請求項１３】
請求項１乃至１２のいずれか１項記載の偽造防止用画像形成体であって、前記各々潜像画像Ｇ1 、Ｇ2 、Ｇ3 、Ｇ4 ・・・を形成する各々１単位画素ｇ1 、ｇ2 、ｇ3 、ｇ4 ・・・の万線パターンを構成する各々万線が、連続状画線、ドット状画線、点線等の断続状画線のいずれか１種又は２種以上であることを特徴とする偽造防止用画像形成体。
【発明の詳細な説明】
【技術分野】
【０００１】
本発明は、商品券や入場券、株券等の有価証券類や商品ラベル等の印刷媒体類の偽造防止に有効な偽造防止用画像形成体に関する。
【背景技術】
【０００２】
商品券や入場券、金券や株券や債券等の有価証券類には、偽造防止策が必要不可欠であり、従来より、商品券等のように使用後において機械的及び光学的に電子データとして読み取り可能な印刷物や、偽造や贋造をより困難にするとともにデザイン性や外観趣向性に支障をきたさない印刷物や、カラーコピーやスキャナー等による複製が困難な印刷物等の偽造防止策を施した画像形成体が広く市場に利用されている。
【０００３】
偽造や贋造をより困難にするとともに、デザイン性や外観趣向性に支障をきたさない従来の偽造防止策を施した画像形成体としては、万線（ストライプ状の多数本の同一ピッチの平行線パターン）を用いた印刷物等の万線利用の画像形成体がある。
【０００４】
この万線利用の画像形成体は、所定ピッチの万線によるパターン（以下万線パターンと云う）を透明シートに形成した顕像化用（真贋判定用）の万線シートと、画像（絵柄）領域内に、前記万線パターンと同一ピッチの万線パターンにより潜像画像として形成した可視的に読み取り不可能な潜像を配置した万線画像形成体（印刷物等）とを１セットとして特定し、その真贋判定用の万線シートによって潜像画像を顕像化して、顕像化された画像が真の画像か否かを可視的に確認するものであり、この真贋判定用の万線シートが無い場合は、万線画像形成体の潜像を可視的に顕像とすることができないものである。
【０００５】
前記真贋判定用の万線シートと、万線画像形成体とを（例えば万線画像形成体上に万線シートを）、その両者の万線パターンが互いに平行になるように重ね合わせた際に、両者の万線パターンにおける互いに隣接する万線部分は画像部として可視され、オーバーラップする（重なる）部分は非画像部として可視されて、潜像画像は意味を持つ画像として顕像化して、可視的に読み取り可能となり、真偽の判定ができるようにしたものである。
【０００６】
しかしながら、従来の万線画像形成体は、１枚の印刷シート等の画像形成用シート上に１種類のピッチの万線ピッチを用いて、数種類の角度の万線角度によって変化を付与することによって構成される数種類の万線パターンを用いて潜像画像を形成したものであり、真贋判定用の万線シートの万線パターンの種類は１種類しか無いものである。
【０００７】
このように、潜像画像（潜像パターン）の万線ピッチは、同一ピッチを用いているために、画像拡大等の操作によって潜像パターンが見抜かれ易く、また、耐模刻性も低いものであった。
【０００８】
以下に、本発明に関連する公知の特許文献を記載する。
【特許文献１】特開２００４−１７４８８０号公報
【特許文献２】特開２００４−１７４９９７号公報
【特許文献３】特開２００４−２０２９５１号公報
【発明の開示】
【発明が解決しようとする課題】
【０００９】
本発明は、このような問題に鑑みてなされたものであり、商品券や入場券、株券等の有価証券類や商品ラベル等の印刷媒体類の偽造防止に有効な偽造防止用の画像形成体であって、１枚の印刷シート等の画像形成用シート上に、数種類の万線ピッチと数種類の万線角度とを用いて構成される万線パターンによる数種類の潜像画像を形成して、画像形成体の真贋判定には、２種類以上数種類の万線パターンの形成された顕像化用（真贋判定用）の万線シートを必要とすることにより、偽造防止策の実効性を向上させることにある。
【課題を解決するための手段】
【００１０】
本発明の請求項１に係る発明は、画像形成シート上に単位ブロックＢ内をｍ列ｎ行に等形状分割した各々最小単位ブロックｂ１、ｂ２、ｂ３、ｂ４、・・・をそれぞれ１単位画素ｇ１、ｇ２、ｇ３、ｇ４、・・・とし、複数の単位ブロックの１単位画素ｇ１、ｇ２、ｇ３、ｇ４、・・・により各々潜像画像Ｇ１、Ｇ２、Ｇ３、Ｇ４・・・が形成され、前記各々潜像画像Ｇ１、Ｇ２、Ｇ３、Ｇ４・・・を形成する各々１単位画素ｇ１、ｇ２、ｇ３、ｇ４・・・は、万線本数１本分以上の万線により構成される万線パターンであって、ピッチｐ１、ｐ２、ｐ３、ｐ４、・・・の各々万線ピッチｐと角度θ１、θ２、θ３、θ４、・・・の各々万線角度θの万線により構成される異なる各々万線パターンのうちいずれかの万線パターンにより偽造防止用画像形成体であって、該潜像画像Ｇ１、Ｇ２、Ｇ３、Ｇ４、・・・を形成する各々前記１単位画素ｇ１、ｇ２、ｇ３、ｇ４、・・・を構成する万線パターンと同一の前記万線ピッチｐと万線角度θの万線により構成されるそれぞれ異なる万線パターンを透明シートに形成した顕像化用の万線シートを前記偽造防止用画像形成体上に重ね合わせることにより前記潜像画像Ｇ１、Ｇ２、Ｇ３、Ｇ４、・・・を顕像化するようにしたことを特徴とする偽造防止用画像形成体である。
【００１１】
本発明の請求項２に係る発明は、画像形成シート上に単位ブロックＢ内を２列２行に等形状分割した４個の各々最小単位ブロックｂ１、ｂ２、ｂ３、ｂ４をそれぞれ１単位画素ｇ１、ｇ２、ｇ３、ｇ４とし、複数の単位ブロックの１単位画素ｇ１、ｇ２、ｇ３、ｇ４により各々潜像画像Ｇ１、Ｇ２、Ｇ３、Ｇ４  が形成され、前記各々潜像画像Ｇ１、Ｇ２、Ｇ３、Ｇ４を形成する各々１単位画素ｇ１、ｇ２、ｇ３、ｇ４は、万線本数１本分以上の万線により構成される万線パターンであって、ピッチｐ１、ｐ２、ｐ３、ｐ４の各々万線ピッチｐと角度θ１、θ２、θ３、θ４の各々万線角度θの万線により構成される異なる各々万線パターンのうちいずれかの万線パターンにより構成された偽造防止用画像形成体であって、該潜像画像Ｇ１、Ｇ２、Ｇ３、Ｇ４を形成する各々前記１単位画素ｇ１、ｇ２  、ｇ３、ｇ４を構成する万線パターンと同一の前記万線ピッチｐと万線角度θの万線により構成されるそれぞれ異なる万線パターンを透明シートに形成した顕像化用の万線シートを前記偽造防止用画像形成体上に重ね合わせることにより前記潜像画像Ｇ１、Ｇ２、Ｇ３、Ｇ４を顕像化するようにしたことを特徴とする偽造防止用画像形成体である。
【００１２】
本発明の請求項３に係る発明は、上記請求項１又は２に係る偽造防止用画像形成体であって、前記単位ブロックＢが、正方形若しくは長方形等の矩形状、多角形状、真円形状、長円形状、楕円形状のいずれか１種の形状であることを特徴とする偽造防止用画像形成体である。
【００１３】
本発明の請求項４に係る発明は、上記請求項１乃至３のいずれか１項に係る偽造防止用画像形成体であって、前記最小単位ブロックｂ1 、ｂ2 、ｂ3 、ｂ4 、・・・が、正方形若しくは長方形等の矩形状、多角形状、真円形状、長円形状、楕円形状のいずれか１種の形状であることを特徴とする偽造防止用画像形成体である。
【００１４】
本発明の請求項５に係る発明は、上記請求項２乃至４のいずれか１項に係る偽造防止用画像形成体であって、４種類の前記各々画像Ｇ1 、Ｇ2 、Ｇ3 、Ｇ4 を形成する各々１単
位画素ｇ1 、ｇ2 、ｇ3 、ｇ4 は、ピッチｐ1 、ｐ2 、ｐ3 、ｐ4 の各々万線ピッチｐと角度θ1 、θ2 、θ3 、θ4 の各々万線角度θの万線により構成される異なる各々万線パターンのうち、ピッチｐ1 、ｐ2 の異なる２種類の各々万線ピッチｐと、角度θ1 、θ2 の異なる２種類の各々万線角度θとから構成される異なる４種類の各々万線パターンにより構成された偽造防止用画像形成体であって、４種類の該潜像画像Ｇ1 、Ｇ2 、Ｇ3 、Ｇ4 を形成する各々前記１単位画素ｇ1 、ｇ2 、ｇ3 、ｇ4 を構成する万線パターンと同一の前記万線ピッチｐと万線角度θの万線により構成され、それぞれ異なる２種類のピッチｐ1 、ｐ2 の前記万線ピッチｐと、それぞれ異なる２種類の角度θ1 、θ2 の万線角度θの万線により構成される異なる４種類の万線パターンを、単一の透明シートに形成して構成される顕像化用の万線シート、又は各々２枚の透明シートに形成して表裏を使用することにより構成される顕像化用の万線シート、又は各々４枚の透明シートに形成して構成される顕像化用の万線シートを、前記偽造防止用画像形成体上に重ね合わせることにより４種類の前記潜像画像Ｇ1 、Ｇ2 、Ｇ3 、Ｇ4 を顕像化するようにしたことを特徴とする偽造防止用画像形成体である。
【００１５】
本発明の請求項６に係る発明は、上記請求項１乃至５のいずれか１項に係る偽造防止用画像形成体であって、前記万線ピッチｐと万線角度θの万線により構成される異なる万線パターンを透明シートに形成した顕像化用の前記万線シートは、各々異なる万線パターンが同一の透明シートに形成されていることを特徴とする偽造防止用画像形成体である。
【００１６】
本発明の請求項７に係る発明は、上記請求項１乃至６のいずれか１項に係る偽造防止用画像形成体であって、前記万線ピッチｐと万線角度θの万線により構成される異なる万線パターンを透明シートに形成した顕像化用の前記万線シートは、各々異なる万線パターンが別々の透明シートに形成されていることを特徴とする偽造防止用画像形成体である。
【００１７】
本発明の請求項８に係る発明は、上記請求項２乃至７のいずれか１項に係る偽造防止用画像形成体であって、前記万線角度θが異なる２種類の角度θ1 、θ2 であって、θ１（θ1 ＜１８０°）、θ2 ＝１８０−θ1 の条件を満たし、前記顕像化用の万線シートの表裏を前記偽造防止用画像形成体上に重ね合わせることにより、前記潜像画像Ｇ1 、Ｇ2 、Ｇ3 、Ｇ4 を顕像化するようにしたことを特徴とする偽造防止用画像形成体である。
【００１８】
本発明の請求項９に係る発明は、上記請求項１乃至８のいずれか１項に係る偽造防止用画像形成体であって、前記各々潜像画像Ｇ1 、Ｇ2 、Ｇ3 、Ｇ4 、・・・を構成する各々単位画素を形成するそれぞれ万線パターンの万線ピッチ差及び前記潜像画像Ｇ1 、Ｇ2 、Ｇ3 、Ｇ4 、・・・を顕像化するための万線シートを形成するそれぞれ万線パターンの万線ピッチ差が０．０５ｍｍ以上であることを特徴とする偽造防止用画像形成体である。
【００１９】
本発明の請求項１０に係る発明は、上記請求項１乃至９のいずれか１項に係る偽造防止用画像形成体であって、前記各々潜像画像Ｇ1 、Ｇ2 、Ｇ3 、Ｇ4 、・・・を構成する各々単位画素を形成するそれぞれ万線パターンの万線画線部の幅の差、及び前記潜像画像Ｇ1 、Ｇ2 、Ｇ3 、Ｇ4 、・・・を顕像化するための万線シートを形成するそれぞれ万線パターンの万線画線部の幅の差が０．０５ｍｍ以上であることを特徴とする偽造防止用画像形成体である。
【００２０】
本発明の請求項１１に係る発明は、上記請求項１乃至９のいずれか１項に係る偽造防止用画像形成体であって、前記各々潜像画像Ｇ1 、Ｇ2 、Ｇ3 、Ｇ4 、・・・を構成する各々単位画素を形成するそれぞれ万線パターンの万線角度θの差及び前記潜像画像Ｇ1 、Ｇ2 、Ｇ3 、Ｇ4 、・・・を顕像化するための万線シートを形成するそれぞれ万線パターンの万線角度θの差が１０°以上であることを特徴とする偽造防止用画像形成体である。
【００２１】
本発明の請求項１２に係る発明は、上記請求項１乃至１１のいずれか１項に係る偽造防止用画像形成体であって、前記各々潜像画像Ｇ1 、Ｇ2 、Ｇ3 、Ｇ4 、・・・を形成する各々１単位画素ｇ1 、ｇ2 、ｇ3 、ｇ4 、・・・は、万線本数１本分以上の万線により構成される万線パターンであることを特徴とする偽造防止用画像形成体である。
【００２２】
本発明の請求項１３に係る発明は、上記請求項１乃至１２のいずれか１項に係る偽造防止用画像形成体であって、前記各々潜像画像Ｇ1 、Ｇ2 、Ｇ3 、Ｇ4 ・・・を形成する各々１単位画素ｇ1 、ｇ2 、ｇ3 、ｇ4 ・・・の万線パターンを構成する各々万線が、連続状画線、ドット状画線、点線等の断続状画線のいずれか１種又は２種以上であることを特徴とする偽造防止用画像形成体である。
【発明の効果】
【００２３】
本発明の偽造防止用画像形成体は、１枚の印刷シート等の画像形成用シート上に、数種類の万線ピッチと、数種類の万線角度とを用いて構成される万線パターンによる数種類の潜像画像を潜像パターンとして形成したものであり、画像形成体の真贋判定には、２種類以上数種類の万線パターンの形成された顕像化用（真贋判定用）の万線シートを必要とするものであり、これにより、偽造防止策の実効性を向上させることが可能になり、商品券や入場券、株券等の有価証券類や商品ラベル等の印刷媒体類の偽造防止に有効な偽造防止用の画像形成体として効果的である。
【００２４】
また、本発明の偽造防止用画像形成体においては、その潜像画像を印刷する印刷版は、数種類の潜像画像を潜像パターンとして万線パターンを合成して得られる印刷版であり、例えば４色（多色）の印刷インキを用いて印刷される４色（多色）の画像形成体の場合には、４枚（多数枚）の印刷版を、潜像画像とすべき画像（文字、記号、マーク、描画、絵柄等）の規則性に基づき画像合成して原版を製版した後に印刷版を作製するために、作製が非常に複雑であり、原版自体の模造複製や印刷版の偽造は極めて困難である。
【発明を実施するための最良の形態】
【００２５】
本発明の偽造防止用画像形成体を図面に基づいて以下に詳細に説明すれば、図１は、本発明の偽造防止用画像形成体の全体平面図であり、図１（ａ）は、オーバーラップして合成された４つの潜像画像を含む可視的外観平面図、図１（ｂ）は、その合成された４つの潜像画像の各々画像の１つずつの表示領域の輪郭を実線にて囲み説明する可視的外観平面図である。
【００２６】
本発明の偽造防止用画像形成体は、図１（ａ）に示すように、画像形成シートＳ上に、オーバーラップして合成された複数の個々の潜像画像を含む偽造防止用潜像画像Ｇが形成されている。
【００２７】
この複数の個々の潜像画像を含む偽造防止用潜像画像Ｇは、図１（ｂ）の詳細を示す平面図に示すように、各々潜像画像の１つずつの表示領域の輪郭を実線にて囲んで説明するように、潜像画像Ｇ1 、Ｇ2 、Ｇ3 、Ｇ4 、・・・の複数の潜像画像により構成され、例えば、図示するように４つの潜像画像により構成されている。
【００２８】
上記各々潜像画像Ｇ1 、Ｇ2 、Ｇ3 、Ｇ4 、・・・として表示される画像パターンの種類（絵柄、写真、マーク、文字、数字、記号等）としては特に限定されるものではなく、例えば図１（ｂ）に示すように、４つの潜像画像のうち潜像画像Ｇ1 が示す画像パターンとして英文字「Ａ」を示し、潜像画像Ｇ2 が示す画像パターンとして英文字「Ｂ」を示し、潜像画像Ｇ3 が示す画像パターンとして英文字「Ｃ」を示し、潜像画像Ｇ4 が示す画像パターンとして英文字「Ｄ」を示すものである。
【００２９】
画像形成シートＳにオーバーラップして合成された４つの潜像画像Ｇ1 、Ｇ2 、Ｇ3 、Ｇ4 を含む潜像画像Ｇの画像構造を、図２（ａ）に示す潜像画像Ｇ1 、Ｇ2 、Ｇ3 、Ｇ4 を含む潜像画像Ｇと、図２（ｂ）に示す潜像画像Ｇにおける潜像画像Ｇ1 、Ｇ2 、Ｇ3 、Ｇ4 がオーバーラップした微小領域Ｍの部分拡大平面図に基づいて以下に説明する。
【００３０】
画像形成シートＳ上のオーバーラップして合成された潜像画像Ｇの各潜像画像Ｇ1 、Ｇ2 、Ｇ3 、Ｇ4 は、図２（ａ）に示すように、微小領域Ｍにおいてオーバーラップしている。
【００３１】
その微小領域Ｍにおける偽造防止用潜像画像Ｇは、図２（ｂ）に示すように、ｅ1 ×ｅ2 （ｅ1 ＝ｅ2 、又はｅ1 ≠ｅ2 ）の正方形又は長方形の単位ブロックＢ内を、ｆ1 ×ｆ2 （ｆ1 ＝ｆ2 、又はｆ1 ≠ｆ2 ）のｎ列ｍ行に等形状に分割した正方形又は長方形の複数個の各々最小単位ブロックｂ1 （水平平行線部）、ｂ2 （垂直平行線部）、ｂ3 （左傾斜線部）、ｂ4 （右傾斜線部）、・・・を備え、該各々最小単位ブロックｂ1 、ｂ2 、ｂ3 、ｂ4 、・・・が各々潜像画像Ｇ1 、Ｇ2 、Ｇ3 、Ｇ4 、・・・のそれぞれ１画素（１単位画素）ｇ1 、ｇ2 、ｇ3 、ｇ4 、・・・として形成されている。
【００３２】
又は、その微小領域Ｍにおける潜像画像は、図２（ｂ）に示すように、ｅ1 ×ｅ2 の正方形又は長方形の単位ブロックＢ内を、ｆ1 ×ｆ2 （ｅ1 ＝２ｆ1 、ｅ2 ＝２ｆ2 ）の２列２行に等形状に分割した正方形又は長方形の４個の各々最小単位ブロックｂ1 （水平平行線部）、ｂ2 （垂直平行線部）、ｂ3 （左傾斜線部）、ｂ4 （右傾斜線部）を備え、該各々最小単位ブロックｂ1 、ｂ2 、ｂ3 、ｂ4 が各々潜像画像Ｇ1 、Ｇ2 、Ｇ3 、Ｇ4 のそれぞれ１画素（１単位画素）ｇ1 、ｇ2 、ｇ3 、ｇ4 として形成されている。
【００３３】
そして、本発明においては、偽造防止用潜像画像Ｇを構成するそれぞれ潜像画像Ｇ1 、Ｇ2 、Ｇ3 、Ｇ4 、・・・は、画像形成用シートＳ面に、全て同一の色調（例えば、黒色系、青色系、赤色系、黄色系、緑色系、白色系等の色調）にて画像形成されていてもよいし、それらの潜像画像Ｇ1 、Ｇ2 、Ｇ3 、Ｇ4 、・・・のうちの全て又はいずれかは、別々の色調にて画像形成されていてもよい。なお、潜像画像の形成方式は特に限定されるものではないが、例えば、オフセット印刷方式、グラビア印刷方式、スクリーン印刷方式等の他に、電子写真方式又は感熱転写シートを用いたレーザープリント方式、あるいはインキジェット方式等を用いることができる。
【００３４】
なお、本発明においては、前記単位ブロックＢの形状は、上記のような正方形若しくは長方形等の矩形状に限定されるものではなく、例えば多角形状、真円形状、長円形状、楕円形状のいずれか１種又は２種以上の形状であってもよい。
【００３５】
また、本発明においては、前記最小単位ブロックｂ1 、ｂ2 、ｂ3 、ｂ4 、・・・の形状は、上記のような正方形若しくは長方形等の矩形状に限定されるものではなく、例えば多角形状、真円形状、長円形状、楕円形状のいずれか１種の形状であることを特徴とする偽造防止用画像形成体である。
【００３６】
本発明においては、偽造防止用潜像画像Ｇを構成する複数の潜像画像として、例えば４つの潜像画像Ｇ1 、Ｇ2 、Ｇ3 、Ｇ4 から構成される偽造防止用画像形成体について以下に順に説明する。
【００３７】
図３は、万線パターンにより構成された４つの各々潜像画像Ｇ1 、Ｇ2 、Ｇ3 、Ｇ4 を形成する微小領域Ｍ部分における各々最小単位ブロックｂ1 、ｂ2 、ｂ3 、ｂ4 内の各々画素ｇ1 、ｇ2 、ｇ3 、ｇ4 の拡大平面図であり、各々潜像画像Ｇ1 、Ｇ2 、Ｇ3 、Ｇ4 を形成する各々画素ｇ1 、ｇ2 、ｇ3 、ｇ4 は、同図３に示すように、各々最小単位ブロ
ックｂ1 、ｂ2 、ｂ3 、ｂ4 内に万線本数１本分以上の所定の万線ピッチｐと所定の万線角度θ（０°＜θ＜１８０°又は０°≦θ≦１８０°）の平行線状の万線（１本の黒線部（画線部）Ｌ1 と、それに隣接する白線部（非画線部）Ｌ2 とにより１ピッチを形成する万線）を、所定の万線比率（Ｌ1 幅／Ｌ2 幅＝Ｒ）にて配置して形成した万線パターンにより構成される。なお、本発明においては万線比率Ｒは特に限定されるものではないが、例えば、Ｒ＝１、又は０．８≦Ｒ≦１．２５程度が適当である。
【００３８】
前記各々画素ｇ1 、ｇ2 、ｇ3 、ｇ4 は、ピッチｐ1 、ｐ2 、ｐ3 、ｐ4 の各々万線ピッチｐと、角度θ1 、θ2 、θ3 、θ4 の各々万線角度θの万線により構成される異なる各々万線パターンのうち、いずれかの万線パターンにより構成されているものであり、各ピッチｐ1 、ｐ2 、ｐ3 、ｐ4 、各角度θ1 、θ2 、θ3 、θ4 の数値は、それぞれ異なっていてもよいし、そのうちのいずれかは同一であってもいずれでもよい。
【００３９】
しかしながら、単位ブロックのうちの各最小単位ブロック内の２つ以上の画素に、互いに万線ピッチｐが等しい万線を使用する場合には、その万線角度θを異なるように形成するか、又は万線角度θを等しくし且つ万線ピッチｐの位相を異なるように形成することが適当である。なお、複数の各々潜像画像Ｇ1 、Ｇ2 、Ｇ3 、Ｇ4 、・・・を構成する各々画素ｇ1 、ｇ2 、ｇ3 、ｇ4 、・・・として形成される万線パターンの万線ピッチｐの位相、又は４つの各々潜像画像Ｇ1 、Ｇ2 、Ｇ3 、Ｇ4 を構成する各々画素ｇ1 、ｇ2 、ｇ3 、ｇ4 として形成される万線パターンの万線ピッチｐの位相は、同一位相となるように整合されて形成される。
【００４０】
４つの各々潜像画像Ｇ1 、Ｇ2 、Ｇ3 、Ｇ4 を形成する微小領域Ｍ部分における各々最小単位ブロックｂ1 、ｂ2 、ｂ3 、ｂ4 内の各々画素ｇ1 、ｇ2 、ｇ3 、ｇ4 について、その一例を、図３に基づいてさらに詳細に説明する。
【００４１】
図３に示すように、最小単位ブロックｂ1 内に潜像画像Ｇ1 を構成する画素ｇ1 として形成される万線パターンは、万線ピッチｐがピッチｐ1 （Ｌ1 幅／Ｌ2 幅＝１）、万線角度θが角度θ1 の万線パターンであり、図４（ａ）に示すように、本発明の画像形成体の潜像画像Ｇを構成する英文字「Ａ」のオーバーラップする潜像画像Ｇ1 が形成される。
【００４２】
また、最小単位ブロックｂ2 内に潜像画像Ｇ2 を構成する画素ｇ2 として形成される万線パターンは、万線ピッチｐがピッチｐ2 （Ｌ1 幅／Ｌ2 幅＝１）、万線角度θが角度θ2 （１８０°−θ1 ）の万線パターンであり、図４（ｂ）に示すように、本発明の画像形成体の潜像画像Ｇを構成する英文字「Ｂ」のオーバーラップする潜像画像Ｇ2 が形成される。
【００４３】
また、最小単位ブロックｂ3 内に潜像画像Ｇ3 を構成する画素ｇ3 として形成される万線パターンは、万線ピッチｐがピッチｐ3 （Ｌ1 幅／Ｌ2 幅＝１）、万線角度θが角度θ3 の万線パターンであり、図４（ｃ）に示すように、本発明の画像形成体の潜像画像Ｇを構成する英文字「Ｃ」のオーバーラップする潜像画像Ｇ3 が形成される。
【００４４】
また、最小単位ブロックｂ4 内に潜像画像Ｇ4 を構成する画素ｇ4 として形成される万線パターンは、万線ピッチｐがピッチｐ4 （Ｌ1 幅／Ｌ2 幅＝１）、万線角度θが角度θ4 （１８０°−θ3 ）の万線パターンであり、図４（ｄ）に示すように、本発明の画像形成体の潜像画像Ｇを構成する英文字「Ｄ」のオーバーラップする潜像画像Ｇ4 が形成されるものである。
【００４５】
以上のように、本発明の偽造防止用画像形成体は、図１（ａ）〜（ｂ）及び図２（ａ）に示すように、画像形成用シートＳ上に、例えば潜像画像Ｇ1 、Ｇ2 、Ｇ3 、Ｇ4 の４つ
の画像がオーバーラップした偽造防止用潜像画像Ｇが形成されていて、それぞれ前記潜像画像Ｇ1 、Ｇ2 、Ｇ3 、Ｇ4 は、図３の部分拡大平面図に示すように、それぞれの最小単位ブロックｂ1 、ｂ2 、ｂ3 、ｂ4 内に、万線角度θがθ1 、θ2 、θ3 、θ4 と、万線ピッチｐがｐ1 、ｐ2 、ｐ3 、ｐ4 のそれぞれ万線パターンを用いて形成されている。
【００４６】
本発明の偽造防止用画像形成体において、偽造防止用潜像画像Ｇを構成する複数又は４つのｆ1 ×ｆ2 の単位画素が形成された各々最小単位ブロックｂ1 、ｂ2 、ｂ3 、ｂ4 、・・・を構成するｅ1 ×ｅ2 の各々単位ブロックの配置形態としては、図２（ａ）、図３に示す形態以外に、図５（ａ）〜（ｃ）に示すようなものがあり、特に限定されるものではない。
【００４７】
また、本発明の偽造防止用画像形成体において、前記各々潜像画像Ｇ1 、Ｇ2 、Ｇ3 、Ｇ4 ・・・を形成する各々１単位画素ｇ1 、ｇ2 、ｇ3 、ｇ4 ・・・の万線パターンを構成する各々万線の画線状態は、上記図面にて図示したように連続状の画線（ベタ状の画線）であるが、本発明においては、これに限定されるものではなく、例えば、各々万線の画線状態は、ドット状画線、あるいは点線、断続線等の断続状画線のいずれか１種又は２種以上を採用することは可能である。
【００４８】
図６は、本発明の偽造防止用画像形成体の偽造防止用潜像画像Ｇを顕像化するための各種の万線シート（万線スクリーンシート）を説明する平面図であり、上記の複数の各潜像画像Ｇ1 、Ｇ2 、Ｇ3 、Ｇ4 、・・・を構成する各単位画素ｇ1 、ｇ2 、ｇ3 、ｇ4 、・・・のうちのいずれかの単位画素を形成した万線パターンと同じ万線ピッチｐと万線角度θの万線により構成される異なる万線パターンを、プラスチックフィルム（又はガラス板等）の透明シートに形成した顕像化用の各種の万線シートＳL である。
【００４９】
図６（ａ）は、万線ピッチｐ1 、万線角度θ1 であって、画線部Ｌ1 （黒色、青色、赤色、緑色、黄色、不透明白色等の着色線部）の幅（Ｌ1 幅）と非画線部Ｌ2 （透明線部）の幅（Ｌ2 幅）の比率が１：１の万線により構成される異なる万線パターンを透明シートに形成した顕像化用の万線シートＳL である。
【００５０】
図６（ｂ）は、万線ピッチｐ2 、万線角度θ2 （１８０°−θ1 ）であって、画線部Ｌ1 （黒色、青色、赤色、緑色、黄色、不透明白色等の着色線部）の幅（Ｌ1 幅）と非画線部Ｌ2 （透明線部）の幅（Ｌ2 幅）の比率が１：１の万線により構成される異なる万線パターンを透明シートに形成した顕像化用の万線シートＳL である。
【００５１】
図６（ｃ）は、万線ピッチｐ3 、万線角度θ3 であって、画線部Ｌ1 （黒色、青色、赤色、緑色、黄色、不透明白色等の着色線部）の幅（Ｌ1 幅）と非画線部Ｌ2 （透明線部）の幅（Ｌ2 幅）の比率が１：１の万線により構成される異なる万線パターンを透明シートに形成した顕像化用の万線シートＳL である。
【００５２】
図６（ｄ）は、万線ピッチｐ4 、万線角度θ4 （１８０°−θ3 ）であって、画線部Ｌ1 （黒色、青色、赤色、緑色、黄色、不透明白色等の着色線部）の幅（Ｌ1 幅）と非画線部Ｌ2 （透明線部）の幅（Ｌ2 幅）の比率が１：１の万線により構成される異なる万線パターンを透明シートに形成した顕像化用の万線シートＳL である。
【００５３】
なお、図６（ａ）に示す万線角度θ1 の万線シートＳL と、図６（ｂ）に示す万線角度θ2 （１８０°−θ1 ）の万線シートＳL 、及び図６（ｃ）に示す万線角度θ3 の万線シートＳL と、図６（ｄ）に示す万線角度θ4 （１８０°−θ3 ）の万線シートＳL は、その角度が、図面の上下垂直方向の軸を対象軸として線対象形にあるので、その万線ピッチｐ1 とｐ2 とを同一（ｐ1 ＝ｐ2 ）に形成し、その万線ピッチｐ3 とｐ4 とを同一（ｐ3 
＝ｐ4 ）に形成することにより、それぞれ両方の万線シートＳL は、互いに表裏の関係とすることができ、それぞれ前記２枚の万線シートＳL を用いる代わりに１枚の万線シートＳL により顕像化を実施することが可能となる。なお、前記万線シートＳL として１枚の万線シートの表裏を使用する場合には、前記万線角度θが異なる２種類の角度θ1 、θ2 であって、θ１（θ1 ＜１８０°又は０＜θ1 ＜１８０°）、θ2 ＝１８０−θ1 の条件を満たし、前記顕像化用の万線シートの表裏を前記偽造防止用画像形成体上に重ね合わせることにより、前記潜像画像Ｇ1 、Ｇ2 、Ｇ3 、Ｇ4 を顕像化するものである。
【００５４】
また、万線シートＳL に採用する万線パターンの万線比率Ｒは、画素に採用する万線パターンと同様に、本発明においては特に限定されるものではないが、例えば、Ｒ＝１、又は０．８≦Ｒ≦１．２５程度が適当である。
【００５５】
また、万線パターンの万線の画線状態は、上記図面にて図示したように連続状の画線（ベタ状の画線）であるが、本発明においては、これに限定されるものではなく、例えば各々万線の画線状態は、ドット状画線、あるいは点線、断続線等の断続状画線のいずれか１種又は２種以上を採用することは可能である。
【００５６】
図１（ａ）〜（ｂ）及び図２（ａ）に示す本発明の偽造防止用画像形成体に画像形成された偽造防止用潜像画像Ｇ上に、図６（ａ）〜（ｄ）に示す各種の万線シートＳL を重ね合わせることにより、図７（ａ）〜（ｃ）及び図８（ａ）〜（ｃ）に示す画像が顕像化されるものである。
【００５７】
図１（ａ）〜（ｂ）及び図２（ａ）に示す本発明の偽造防止用画像形成体の画像形成用シートＳに複数の潜像画像Ｇ1 、Ｇ2 、Ｇ3 、Ｇ4 、・・・、又は４つの潜像画像Ｇ1 、Ｇ2 、Ｇ3 、Ｇ4 として形成された図３に示す各々単位画素上に、図６（ａ）〜（ｄ）に示す万線シートＳL を重ね合わせることにより、各々潜像画像Ｇ1 、Ｇ2 、Ｇ3 、Ｇ4 は下記のように顕像化する。
【００５８】
図１（ａ）〜（ｂ）及び図２（ａ）に示す本発明の偽造防止用画像形成体の画像形成用シートＳ上に、図６（ａ）に示す万線ピッチｐ1 （例えばピッチｐ1 ＝０．１ｍｍ、Ｌ1 幅（画線部幅）＝０．０５ｍｍ）、万線角度θ1 の万線シートＳL を重ね合わせ、図７（ａ）の部分拡大平面図に示すように、この万線シートＳL の万線パターンと、複数の潜像画像Ｇ1 、Ｇ2 、Ｇ3 、Ｇ4 、・・・、又は４つの潜像画像Ｇ1 、Ｇ2 、Ｇ3 、Ｇ4 のうち、この万線シートＳL の万線パターンと同じ万線ピッチｐ1 （例えばピッチｐ1 ＝０．１ｍｍ、Ｌ1 幅（画線部幅）＝０．０５ｍｍ）と万線角度θ1 の万線により構成される万線パターンとを平行に整合させることにより、万線パターンにより形成した潜像画像Ｇ1 の画線部Ｌ1 （（黒色、青色、赤色、緑色、黄色、不透明白色等の着色線部、画素ｇ1 ）が万線シートＳL の非画線部Ｌ2 （透明線部）を透して可視されて、図７（ｂ）の平面図に示すような潜像画像Ｇ1 の画像「Ａ」として顕像化するものである。
【００５９】
また、上記偽造防止用画像形成体の画像形成用シートＳ上に、図６（ｂ）に示す万線ピッチｐ2 （万線ピッチｐ1 と同じ、例えばピッチｐ2 ＝０．１ｍｍ、Ｌ1 幅（画線部幅）＝０．０５ｍｍ）、万線角度θ2 （１８０°−θ1 ）の万線シートＳL を重ね合わせ、又は前述の図６（ａ）に示した万線ピッチｐ1 、万線角度θ1 の万線シートＳL を裏返して万線角度θ2 （１８０°−θ1 ）にした後に重ね合わせ、上記と同様にして、この万線シートＳL の万線パターンと、複数の潜像画像Ｇ1 、Ｇ2 、Ｇ3 、Ｇ4 、・・・、又は４つの潜像画像Ｇ1 、Ｇ2 、Ｇ3 、Ｇ4 のうち、この万線シートＳL の万線パターンと同じ万線ピッチｐ2 （万線ピッチｐ1 と同じ、例えばピッチｐ2 ＝０．１ｍｍ、Ｌ1 幅（画線部幅）＝０．０５ｍｍ）と万線角度θ2 の万線により構成される万線パターンとを平行に整合させることにより、万線パターンにより形成した潜像画像Ｇ2 の画線部Ｌ1 （（黒色、
青色、赤色、緑色、黄色、不透明白色等の着色線部、画素ｇ2 ）が、万線シートＳL の非画線部Ｌ2 （透明線部）を透して可視されて、図７（ｃ）の平面図に示すような潜像画像Ｇ2 の画像「Ｂ」として顕像化するものである。
【００６０】
また、上記偽造防止用画像形成体の画像形成用シートＳ上に、図６（ｃ）に示す万線ピッチｐ3 （例えば、ピッチｐ3 ＝０．２ｍｍ、Ｌ1 幅（画線部幅）＝０．１ｍｍ）、万線角度θ3 の万線シートＳL を重ね合わせ、上記と同様にして、図８（ａ）の部分拡大平面図に示すように、この万線シートＳL の万線パターンと、複数の潜像画像Ｇ1 、Ｇ2 、Ｇ3 、Ｇ4 、・・・、又は４つの潜像画像Ｇ1 、Ｇ2 、Ｇ3 、Ｇ4 のうち、この万線シートＳL の万線パターンと同じ万線ピッチｐ3 （例えば、ピッチｐ3 ＝０．２ｍｍ、Ｌ1 幅（画線部幅）＝０．１ｍｍ）と万線角度θ3 の万線により構成される万線パターンとを平行に整合させることにより、万線パターンにより形成した潜像画像Ｇ3 の画線部Ｌ1 （（黒色、青色、赤色、緑色、黄色、不透明白色等の着色線部、画素ｇ3 ）が、万線シートＳL の非画線部Ｌ2 （透明線部）を透して可視されて、図８（ａ）の平面図に示すような潜像画像Ｇ3 の画像「Ｃ」として顕像化するものである。
【００６１】
また、上記偽造防止用画像形成体の画像形成用シートＳ上に、図６（ｄ）に示す万線ピッチｐ4 （例えば、ピッチｐ3 と同じ、ピッチｐ4 ＝０．２ｍｍ、Ｌ1 幅（画線部幅）＝０．１ｍｍ）、万線角度θ4 （１８０°−θ3 ）の万線シートＳL を重ね合わせ、又は前述の図６（ｃ）に示した万線ピッチｐ3 、万線角度θ3 の万線シートＳL を裏返して万線角度θ4 （１８０°−θ3 ）にした後に重ね合わせ、上記と同様にして、この万線シートＳL の万線パターンと、複数の潜像画像Ｇ1 、Ｇ2 、Ｇ3 、Ｇ4 、・・・、又は４つの潜像画像Ｇ1 、Ｇ2 、Ｇ3 、Ｇ4 のうち、この万線シートＳL の万線パターンと同じ万線ピッチｐ4 と万線角度θ4 の万線により構成される万線パターンとを平行に整合させることにより、万線パターンにより形成した潜像画像Ｇ4 の画線部Ｌ1 （（黒色、青色、赤色、緑色、黄色、不透明白色等の着色線部、画素ｇ4 ）が、万線シートＳL の非画線部Ｌ2 （透明線部）を透して可視されて、図８（ｃ）の平面図に示すような潜像画像Ｇ4 の画像「Ｄ」として顕像化するものである。
【図面の簡単な説明】
【００６２】
【図１】（ａ）〜（ｂ）は本発明の偽造防止用画像形成体の平面図。
【図２】（ａ）は本発明の偽造防止用画像形成体の平面図、（ｂ）はそのＭ部分の潜像画像の画素の配列構造を説明する部分拡大平面図。
【図３】（ａ）〜（ｄ）は本発明の偽造防止用画像形成体のＭ部分の潜像画像の画素の配列構造を説明するＭ部分拡大平面図。
【図４】本発明の偽造防止用画像形成体の各々潜像画像を説明する平面図。
【図５】（ａ）〜（ｃ）は本発明の偽造防止用画像形成体の各々潜像画像の画素の各種の配列構造を説明するＭ部分拡大平面図。
【図６】（ａ）〜（ｄ）は本発明の偽造防止用画像形成体の顕像化に使用する各種の万線シートの部分平面図。
【図７】（ａ）〜（ｃ）は本発明の偽造防止用画像形成体に万線シートを重ね合わせて顕像化した画像を説明する平面図。
【図８】（ａ）〜（ｃ）は本発明の偽造防止用画像形成体に万線シートを重ね合わせて顕像化した画像を説明する平面図。
【符号の説明】
【００６３】
Ｓ…画像形成用シート
Ｇ…偽造防止用潜像画像
ｂ1 、ｂ2 、ｂ3 、ｂ4 …最小単位ブロック
ｇ1 、ｇ2 、ｇ3 、ｇ4 …潜像画素
Ｇ1 、Ｇ2 、Ｇ3 、Ｇ4 …潜像画像
ＳL …万線シート
【図１】
0004760167.tif 000002
【図２】
0004760167.tif 000003
【図３】
0004760167.tif 000004
【図４】
0004760167.tif 000005
【図５】
0004760167.tif 000006
【図６】
0004760167.tif 000007
【図７】
0004760167.tif 000008
【図８】
0004760167.tif 000009